【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
ローミング・リモート・デスクトップを提供するための方法であって、
同一の複数のベースディスクを複数の仮想マシン（ＶＭ）ホストサイトのそれぞれにおいて維持する工程であって、前記複数のＶＭホストサイトは親ＶＭとリンククローンのＶＭとの間の差分を記憶する再実行ログを維持するようにさらに構成されている、前記工程と、
クライアント機器の場所の近くの１つのＶＭホストサイトを識別する工程と、
識別された前記ＶＭホストサイトにおける１つのＶＭホストに１つのリンククローンのＶＭを移動させる工程と、
前記クライアント機器と前記１つのリンククローンのＶＭとの間においてリモートデスクトップ接続を確立する工程とを備え、
前記１つのリンククローンのＶＭは、任意の所与の時間において、前記複数のベースディスクのうちの１つにアクティブにリンクされ、１つ以上の他のベースディスクにパッシブにリンクされ、アクティブリンクとパッシブリンクとは、前記１つのリンククローンのＶＭの再実行ログを表すファイルにおけるメタデータとして維持され、
識別された前記ＶＭホストサイトにおける前記１つのＶＭホストに前記１つのリンククローンのＶＭを移動させた後、前記１つのリンククローンのＶＭと、識別された前記ＶＭホストサイトにおける１つのベースディスクとの間における前記リンクをアクティブリンクに変え、前記１つのリンククローンのＶＭと、残りの前記複数のベースディスクとの間における残りの前記リンクはパッシブリンクであり、
前記アクティブリンクと前記パッシブリンクとに基づいて、前記複数のベースディスクのうち前記１つのリンククローンのＶＭが依存する１つのベースディスクに対する更新は、前記ベースディスクのうちの更新された前記ベースディスクの複製として識別される他のベースディスクに自動的に伝達される、方法。
【請求項２】
前記クライアント機器から前記クライアント機器の前記場所を受信する工程をさらに備え、前記場所は、緯度及び経度と、Ｗｉ−Ｆｉルータのインターネットプロトコル（ＩＰ）アドレスと、インターネットサービスプロバイダのＩＰアドレスと、プライベートＩＰアドレスとのうちの１つに基づいて、前記クライアント機器によって決定される、請求項１に記載の方法。
【請求項３】
前記クライアント機器の前記場所は、前記クライアント機器が前記１つのリンククローンのＶＭに接続を試行する際に受信され、前記移動は、前記クライアント機器が前記１つのリンククローンのＶＭに接続される前に実行される、請求項２に記載の方法。
【請求項４】
前記リンククローンのＶＭの前記移動は、コールドマイグレーションである、請求項１に記載の方法。
【請求項５】
前記移動は、ワイドエリアネットワーク（ＷＡＮ）を通じた移動である、請求項１に記載の方法。
【請求項６】
ローミング・リモート・デスクトップを提供するためのコンピュータプログラム命令を具現化する、非一時的なコンピュータ可読記憶媒体であって、その動作は、
同一の複数のベースディスクを複数の仮想マシン（ＶＭ）ホストサイトのそれぞれにおいて維持する工程であって、前記複数のＶＭホストサイトは親ＶＭとリンククローンのＶＭとの間の差分を記憶する再実行ログを維持するようにさらに構成されている、前記工程と、
クライアント機器の場所の近くの１つのＶＭホストサイトを識別する工程と、
識別された前記ＶＭホストサイトにおける１つのＶＭホストに１つのリンククローンのＶＭを移動させる工程と、
前記クライアント機器と前記１つのリンククローンのＶＭとの間においてリモートデスクトップ接続を確立する工程とを備え、
前記１つのリンククローンのＶＭは、任意の所与の時間において、前記複数のベースディスクのうちの１つにアクティブにリンクされ、１つ以上の他のベースディスクにパッシブにリンクされ、アクティブリンクとパッシブリンクとは、前記１つのリンククローンのＶＭの再実行ログを表すファイルにおけるメタデータとして維持され、
識別された前記ＶＭホストサイトにおける前記１つのＶＭホストに前記１つのリンククローンのＶＭを移動させた後、前記１つのリンククローンのＶＭと、識別された前記ＶＭホストサイトにおける１つのベースディスクとの間における前記リンクをアクティブリンクに変え、前記１つのリンククローンのＶＭと、残りの前記複数のベースディスクとの間における残りの前記リンクはパッシブリンクであり、
前記アクティブリンクと前記パッシブリンクとに基づいて、前記複数のベースディスクのうち前記１つのリンククローンのＶＭが依存する１つのベースディスクに対する更新は、前記ベースディスクのうちの更新された前記ベースディスクの複製として識別される他のベースディスクに自動的に伝達される、コンピュータ可読記憶媒体。
【請求項７】
前記動作は、前記クライアント機器から前記クライアント機器の前記場所を受信する工程をさらに備え、前記場所は、緯度及び経度と、Ｗｉ−Ｆｉルータのインターネットプロトコル（ＩＰ）アドレスと、インターネットサービスプロバイダのＩＰアドレスと、プライベートＩＰアドレスとのうちの１つに基づいて、前記クライアント機器によって決定される、請求項６に記載のコンピュータ可読記憶媒体。
【請求項８】
前記クライアント機器の前記場所は、前記クライアント機器が前記１つのリンククローンのＶＭに接続を試行する際に受信され、前記移動は、前記クライアント機器が前記１つのリンククローンのＶＭに接続される前に実行される、請求項７に記載のコンピュータ可読記憶媒体。
【請求項９】
前記リンククローンのＶＭの前記移動は、コールドマイグレーションである、請求項６に記載のコンピュータ可読記憶媒体。
【請求項１０】
前記移動は、ワイドエリアネットワーク（ＷＡＮ）を通じた移動である、請求項６に記
載のコンピュータ可読記憶媒体。
【請求項１１】
プロセッサと、
メモリと、を備えるシステムであって、該メモリは、ローミング・デスクトップを提供するための動作を実行するように構成されているプログラムを含み、前記動作は、
同一の複数のベースディスクを複数の仮想マシン（ＶＭ）ホストサイトのそれぞれにおいて維持する工程であって、前記複数のＶＭホストサイトは親ＶＭとリンククローンのＶＭとの間の差分を記憶する再実行ログを維持するようにさらに構成されている、前記工程と、
クライアント機器の場所の近くの１つのＶＭホストサイトを識別する工程と、
識別された前記ＶＭホストサイトにおける１つのＶＭホストに１つのリンククローンのＶＭを移動させる工程と、
前記クライアント機器と前記１つのリンククローンのＶＭとの間においてリモートデスクトップ接続を確立する工程とを備え、
前記１つのリンククローンのＶＭは、任意の所与の時間において、前記複数のベースディスクのうちの１つにアクティブにリンクされ、１つ以上の他のベースディスクにパッシブにリンクされ、アクティブリンクとパッシブリンクとは、前記１つのリンククローンのＶＭの再実行ログを表すファイルにおけるメタデータとして維持され、
識別された前記ＶＭホストサイトにおける前記１つのＶＭホストに前記１つのリンククローンのＶＭを移動させた後、前記１つのリンククローンのＶＭと、識別された前記ＶＭホストサイトにおける１つのベースディスクとの間における前記リンクをアクティブリンクに変え、前記１つのリンククローンのＶＭと、残りの前記複数のベースディスクとの間における残りの前記リンクはパッシブリンクであり、
前記アクティブリンクと前記パッシブリンクとに基づいて、前記複数のベースディスクのうち前記１つのリンククローンのＶＭが依存する１つのベースディスクに対する更新は、前記ベースディスクのうちの更新された前記ベースディスクの複製として識別される他のベースディスクに自動的に伝達される、システム。
【請求項１２】
前記動作は、前記クライアント機器から前記クライアント機器の前記場所を受信する工程をさらに備え、前記場所は、緯度及び経度と、Ｗｉ−Ｆｉルータのインターネットプロトコル（ＩＰ）アドレスと、インターネットサービスプロバイダのＩＰアドレスと、プライベートＩＰアドレスとのうちの１つに基づいて、前記クライアント機器によって決定される、請求項１１に記載のシステム。